(57)【要約】【課題】入射面近傍において局所的に輝度が高くなる現象が発生することを低減できる導光板並びにその導光板を含む面光源装置及び透過型画像表示装置を提供する。【解決手段】導光板３０は、透光性材料から形成され、光が入射される側面３０ｃと、側面３０ｃと交差する面であり、側面３０ｃから入射した光を反射させるための凸部３３が複数設けられる反射面３０ｂと、反射面３０ｂとは反対側の面であり、光が出射される出射面３０ａと、を備えている。反射面３０ｂの入光側端部３５に設けられる凸部３３のアスペクト比が０．０５以下である。【選択図】図１
2013197085.tif 000002
【特許請求の範囲】
【請求項１】
透光性材料から形成される導光板であって、
光が入射される入射面と、
前記入射面と交差する面であり、前記入射面から入射した光を反射させるための凸部が複数設けられる反射面と、
前記反射面とは反対側の面であり、前記光が出射される出射面と、
を備え、
前記反射面に設けられる前記凸部は、前記反射面から見て前記出射面がある方向とは反対側に突出し、
前記入射面に直交する方向である光入射方向における前記凸部の最大長さを幅とし、前記出射面に直交する方向である光出射方向における前記凸部の最大長さを高さとし、前記幅に対する前記高さの比をアスペクト比としたとき、入射面近傍に設けられる前記凸部の前記アスペクト比が０．０５以下である、
導光板。
【請求項２】
前記入射面近傍において、互いに隣接する前記凸部の前記幅方向における中心部同士の距離が１００μｍ以上１０００μｍ以下である、
請求項１に記載の導光板。
【請求項３】
前記入射面近傍とは、前記入射面から所定距離内にある領域であり、
前記所定距離が、前記光入射方向における前記反射面の長さの１％以上５％以下である、請求項１又は２に記載の導光板。
【請求項４】
少なくとも、前記透光性材料に拡散剤が添加されているか、又は、前記出射面にエンボス加工が施されている、
請求項１〜３の何れか一項に記載の導光板。
【請求項５】
前記凸部は、前記入射面の長手方向に略平行な方向に延在すると共に、前記延在する方向に略直交する方向に並列配置されている、
請求項１〜４の何れか一項に記載の導光板。
【請求項６】
前記凸部は、レンチキュラーレンズである、
請求項５に記載の導光板。
【請求項７】
前記凸部は、ドット状に形成されている、
請求項１〜４の何れか一項に記載の導光板。
【請求項８】
前記凸部は、マイクロレンズである、
請求項７に記載の導光板。
【請求項９】
請求項１〜８の何れか一項に記載の導光板と、
前記導光板の前記入射面に対向して設けられた光源部と、
を備えている面光源装置。
【請求項１０】
請求項１〜８の何れか一項に記載の導光板と、
前記導光板の前記入射面に対向して設けられた光源部と、
前記導光板の前記出射面に対向して設けられており、当該出射面から出射される光により照明され画像を表示する透過型画像表示部と、
を備えている透過型画像表示装置。
【発明の詳細な説明】
【技術分野】
【０００１】
本発明は導光板、面光源装置及び透過型画像表示装置に関する。
【背景技術】
【０００２】
液晶表示装置等の透過型画像表示装置は、一般に、液晶表示パネルといった透過型画像表示部の背面側に配置され、透過型画像表示部にバックライトを供給する面光源装置を有する。このような面光源装置としてエッジライト型の面光源装置が知られている（例えば、特許文献１参照）。
【０００３】
エッジライト型の面光源装置は、透光性を有する導光板と、導光板の側方に配置され、導光板の側面に光を供給するための光源とを備える。導光板の背面側には、光を反射させる凸部としてのプリズム部が、光の入射方向に対し直交する方向に延在すると共に相互に平行に複数設けられている。この構成では、光源から出射された光は、光源と対向する導光板の側面から導光板内に入射され、導光板内を全反射しながら伝搬する。導光板の背面側には、プリズム部が複数形成されているので、当該プリズム部で反射した光は導光板の透過型画像表示部側の出射面から出射される。
【先行技術文献】
【特許文献】
【０００４】
【特許文献１】特開２００７−２２０３４７号公報
【発明の概要】
【発明が解決しようとする課題】
【０００５】
しかしながら、このような導光板を備えた面光源装置では、入射面近傍において、周辺の領域と比べ輝度が相対的に高くなる領域が局所的に現れる、いわゆるホットスポット現象が発生する場合がある。
【０００６】
そこで、本発明の主な目的は、入射面近傍において相対的に輝度が高くなる領域が局所的に現れる現象が発生することを低減できる導光板、これを備えた面光源装置及び透過型画像表示装置を提供することにある。
【課題を解決するための手段】
【０００７】
本発明に係る導光板は、透光性材料から形成される導光板であって、光が入射される入射面と、入射面と交差する面であり、入射面から入射した光を反射させるための凸部が複数設けられる反射面と、反射面とは反対側の面であり、光が出射される出射面と、を備え、反射面に設けられる凸部は、反射面から見て出射面がある方向とは反対側に突出し、入射面に直交する方向である光入射方向における凸部の最大長さを幅とし、出射面に直交する方向である光出射方向における凸部の最大長さを高さとし、幅に対する高さの比をアスペクト比としたとき、入射面近傍に設けられる凸部の前記アスペクト比が０．０５以下である。
【０００８】
上記構成の導光板では、入射面から入射した光は、導光板内を全反射しながら伝搬する。導光板内を伝搬する光が反射面に設けられた凸部に入射すると、当該凸部により全反射条件と異なる条件で反射する。よって、凸部で反射した光は出射面から出射される。入射面近傍に設けられる凸部の外形形状が、上記条件を満たすアスペクト比となるように形成されているので、入射面近傍において発生する、いわゆるホットスポット現象の発生を低減させることができる。
【０００９】
本発明に係る導光板では、入射面近傍において、互いに隣接する凸部の幅方向における中心部同士の距離を１００μｍ以上１０００μｍ以下とすることができる。
【００１０】
上記構成の導光板では、互いに隣接する凸部の幅方向における中心部同士の距離が、上記条件となるように設けられているので、出射面側から見たときに視認されるおそれのある、一方向に延在する凸部の形状による筋を抑制することができる。
【００１１】
本発明に係る導光板では、入射面近傍とは、入射面から所定距離内にある領域であり、上記所定距離を光入射方向における反射面の長さの１％以上５％以下とすることができる。
【００１２】
本発明に係る導光板では、少なくとも、透光性材料に拡散剤が添加されているか、又は、出射面にエンボス加工が施されていてもよい。これにより、出射面から出射される光の輝度均斉度を高めることができる。
【００１３】
本発明に係る導光板では、凸部は入射面の長手方向と略平行な方向に延在すると共に、延在方向に略直交する方向に並列配置されていてもよい。このとき、当該凸部を、レンチキュラーレンズとすることができる。
【００１４】
本発明に係る導光板では、凸部はドット状に形成されていてもよい。このとき、当該凸部を、マイクロレンズとすることができる。
【００１５】
本発明に係る面光源装置は、上記導光板と、導光板の入射面に対向して設けられた光源部と、を備えている。
【００１６】
本発明に係る透過型画像表示装置は、上記導光板と、導光板の入射面に対向して設けられる光源部と、導光板の出射面に対向して設けられており、当該出射面から出射される光により照明され画像を表示する透過型画像表示部と、を備えている。
【００１７】
上記構成の光源装置及び透過型画像表示装置において、導光板の入射面から入射した光は、導光板内を全反射しながら伝搬する。導光板内を伝搬する光が反射面に設けられた凸部に入射すると、当該凸部により全反射条件と異なる条件で反射する。凸部で反射した光は導光板の出射面から出射される。入射面近傍に設けられる凸部の外形形状が、上記条件を満たすアスペクト比となるように形成されているので、この導光板を備えた面光源装置及び透過型画像表示装置では、入射面近傍において相対的に輝度が高くなる領域が局所的に現れる現象が発生することを低減できる。
【発明の効果】
【００１８】
本発明によれば、入射面近傍において相対的に輝度が高くなる領域が局所的に現れる現象が発生することを低減できる。
【図面の簡単な説明】
【００１９】
【図１】本発明に係る導光板の一実施形態を適用した透過型画像表示装置の概略構成を示す模式図である。
【図２】図１に示す導光板の斜視図である。
【図３】凸部の外形形状の一例を説明するための説明図である。
【図４】凸部の外形形状の一例を説明するための説明図である。
【図５】入射面近傍としての入光側端部を説明する説明図である。
【図６】本発明に係る導光板の他の実施形態を示し、凸部が形成された背面を示す平面図である。
【図７】図６に示す凸部の外形形状の一例を説明するための図面であり、凸部を含む導光板の断面構成の模式図である。
【図８】凸部のアスペクト比と尖り度と光取り出し効率との関係を示したグラフである。
【図９】シミュレーションモデルを示す模式図である。
【図１０】点状光源の指向特性の一例を示す図面である。
【図１１】シミュレーションで用いた各導光板の凸部の外形形状を説明する図面である。
【図１２】シミュレーションにより算出した輝度均斉度について、入光側端部における凸部のアスペクト比と被覆率との関係を示したグラフである。
【発明を実施するための形態】
【００２０】
以下、図面を参照して本発明の実施形態について説明する。図面の説明において、同一要素には同一符号を付し、重複する説明を省略する。図面の寸法比率は、説明のものと必ずしも一致していない。また、説明中、「上」、「下」等の方向を示す語は、図面に示された状態に基づいた便宜的な語である。
【００２１】
（第１実施形態）
図１は、本発明に係る導光板の一実施形態を適用した透過型画像表示装置の概略構成を示す模式図である。図１では、透過型画像表示装置１の断面構成を分解して示している。透過型画像表示装置１は、携帯電話や各種電子機器の表示装置やテレビ装置として好適に利用することができる。
【００２２】
透過型画像表示装置１は、透過型画像表示部１０と、透過型画像表示部１０に供給するための面状の光を出力する面光源装置２０と、を備える。以下、説明の便宜のため、図１に示すように、面光源装置２０に対して、透過型画像表示部１０が配列されている方向をＺ軸方向と称する。また、Ｚ軸方向に直交する二つの方向をＸ軸方向及びＹ軸方向と称する。Ｘ軸方向及びＹ軸方向は互いに直交する。
【００２３】
透過型画像表示部１０は、面光源装置２０に含まれる導光板３０から出射される面状の光で照明されることによって画像を表示する。透過型画像表示部１０の例は、液晶セル１１の両面に直線偏光板１２，１３が配置された偏光板貼合体としての液晶表示パネルである。この場合、透過型画像表示装置１は、液晶表示装置（又は液晶テレビ）である。液晶セル１１及び偏光板１２，１３は、従来の液晶表示装置等の透過型画像表示装置で用いられているものを用いることができる。液晶セル１１の例は、ＴＦＴ（Thin Film Transistor）型の液晶セルやＳＴＮ（SuperTwisted Nematic）型の液晶セルなどである。
【００２４】
面光源装置２０は、透過型画像表示部１０に対するバックライトを供給するエッジライト型のバックライトユニットである。面光源装置２０は、導光板３０と、導光板３０における側面３０ｃに対向して配置された点状光源（光源部）２１とを備える。
【００２５】
点状光源２１は、導光板３０における１つの側面である側面３０ｃに対向して配置されおり、Ｙ軸方向に沿ってライン状に複数配列されている。点状光源２１の例は、発光ダイオードである。点状光源２１は、導光板３０に光を効率的に入射するために、導光板３０とは反対側に、光を反射させるリフレクターなどを備えていてもよい。
【００２６】
面光源装置２０は、導光板３０に対して透過型画像表示部１０と反対側に位置する反射板２５を備えていてもよい。反射板２５は、導光板３０の背面３０ｂから出射した光を導光板３０に再度入射させるためのものである。反射板２５は、図１に示すようにシート状であってもよい。また、反射板２５は、導光板３０を収容する面光源装置２０の筐体底面として構成され、鏡面加工を施された面であってもよい。
【００２７】
導光板３０は、点状光源２１から出射された光を透過型画像表示部１０に向けて出射するために用いられる。導光板３０の平面視形状の例は略長方形及び略正方形を含む。
【００２８】
導光板３０は、透光性材料（又は透明材料）からなり板状に形成されている。また、導光板３０は、図１及び図２に示すように、基層３１及び拡散層３２によって構成される２種２層の構成となっている。基層３１は、背面３０ｂ側に配置され、拡散層３２は、出射面３０ａ側の表層として構成されている。透光性材料の屈折率の例は、１．４６〜１．６２である。透光性材料の例は、透光性樹脂材料、透光性ガラス材料である。透光性樹脂材料の例は、ポリカーボネート樹脂（屈折率：１．５９）、ＭＳ樹脂（メタクリル酸メチル−スチレン共重合体樹脂）（屈折率：１．５６〜１．５９）、ポリスチレン樹脂（屈折率：１．５９）、ＡＳ樹脂（アクリロニトリル−スチレン共重合体樹脂）（屈折率：１．５６〜１．５９）、アクリル系紫外線硬化樹脂（屈折率：１．４６〜１．５８）、ポリメタクリル酸メチル（ＰＭＭＡ）（屈折率：１．４９）などである。透光性樹脂材料としては、透明性の観点からＰＭＭＡがより好ましい。
【００２９】
導光板３０は、図１に示すように、透過型画像表示部１０と互いに対向し、略平坦に形成された出射面３０ａと、後段に詳述する複数の凸部３３が形成された背面（反射面）３０ｂと、出射面３０ａ及び背面３０ｂに直交すると共にＸ軸方向において互いに対向している２つの側面（入射面）３０ｃ及び側面３０ｄと、出射面３０ａ及び背面３０ｂに直交すると共にＹ軸方向において互いに対向している二つの側面３０ｅ及び側面３０ｆを有する。この場合、側面３０ｃは、点状光源２１からの光が入射される入射面である。以下、側面３０ｃを「入射面３０ｃ」とも称す。
【００３０】
図２は、図１に示す導光板の斜視図である。凸部３３は、図２に示すように、入射面３０ｃと平行な方向（面光源装置２０として配置されたときは図１に示すＹ軸方向）に沿って延在すると共に、この延在方向とは直交する方向（面光源装置２０として配置されたときは図１に示すＸ軸方向）に並列配置されている。凸部３３の延在方向については、入射面３０ｃの法線と背面３０ｂの法線との両方に直交する方向に延在しているともいえる。本実施形態では、凸部３３の延在方向に直交する断面形状は、全ての凸部３３において略同一である。凸部３３は透明であり、導光板３０内を伝搬する光を乱反射させて、出射面３０ａ側から出射させるためのものである。凸部３３の外形形状は、レンチキュラーレンズとしての光学的性能を発揮する形状となっている。なお、凸部３３の外形形状については、後段にて詳述する。
【００３１】
凸部３３は、図１に示すように、凸部３３の配列方向（Ｘ軸方向）に沿って配置密度が異なっており、互いに隣接する凸部３３同士の距離ＰＩ（「光入射方向における凸部３３の中心部同士の距離」も同義）が、Ｘ軸方向において入射面３０ｃから遠くなるほど短くなっている。言い換えれば、互いに隣接する凸部３３同士の距離ＧＩと凸部の幅ｗＩａとによって規定される被覆率（ｗＩａ／（ＧＩ＋ｗＩａ））が、背面３０ｂにおいて入射面３０ｃに近い領域ほど小さくなっている。これにより、導光板から出射される光の光入射方向における輝度均斉度が高められている。
【００３２】
次に、凸部３３の外形形状の一例について、図３を用いて詳細に説明する。図３は、凸部３３の外形形状の一例を説明するための図面であり、凸部３３を含む導光板３０の断面構成の模式図である。凸部３３における頂部を凸部３３の先端部３３ａと称し、凸部３３における裾部を凸部３３の底部３３ｂと称する。ここでは、説明の便宜のために、基準面３７を定義する。すなわち、基準面３７を、図３に示すように凸部３３の断面において、底部３３ｂ同士を結ぶ線と平行な面、言い換えれば、凸部３３の底面を形成する平面と定義する。本実施形態では、導光板３０における出射面３０ａ（図１参照）と基準面３７とは互いに平行となっている。また、凸部３３は、凸部３３に接する接平面ＰＬＩと基準面３７とのなす角度γＩが、凸部３３の底部３３ｂ側から先端部３３ａ側にかけて単調に減少するような外形形状を有している。すなわち、凸部３３の表面は、滑らかであり得る。
【００３３】
また、凸部３３の外形形状の他の一例について、図４を用いて詳細に説明する。図４は、凸部３３の外形形状の一例を説明するための図面であり、凸部３３を含む導光板３０の断面構成の模式図である。凸部３３の外形形状は、例えば、延在方向に直交する凸部３３の断面構成において、凸部３３の輪郭線を円錐曲線として表すことができる。具体的には、ｕＩｖＩ座標系を設定し、延在方向に直交する断面形状を中心線（ｖＩ軸）に対して略対称としたとき、凸部３３の断面形状を式（１）で示す円錐曲線ｖＩ（ｕＩ）により規定することができる。ｕＩｖＩ座標系のｖＩ軸は、図１に示すＺ軸方向に対応し、ｕＩ軸は、図１に示すＸ軸方向に対応する。
【数１】
2013197085.tif 000003
【００３４】
式（１）において、尖り度ｋＩａは、式（１）で表される円錐曲線の尖り方を示すパラメータであり、凸部３３の先端部３３ａの尖り方を表している。例えば、尖り度ｋＩａが０のとき、凸部３３の外形は放物線形状となり、尖り度ｋＩａが１のとき、凸部３３の外形はプリズム形状となり、尖り度ｋＩａが−１のとき、凸部３３の外形は楕円を半分に切った形状となる。凸部３３について、式（１）における尖り度ｋＩａは、通常−０．８〜０．８である。
【００３５】
本実施形態の導光板３０では、図３及び図４を用いて断面形状の例を示した凸部３３について、入射面近傍としての入光側端部３５に設けられる凸部３３のアスペクト比が、０．０１以上０．０５以下となるように形成されている。なお、入光側端部３５については、後段に詳述する。また、凸部３３の幅ｗＩａは、通常１０〜４００μｍである。
【００３６】
アスペクト比について、図３及び図４を用いて説明する。アスペクト比とは、入射面３０ｃに直交する方向である光入射方向（図１で示すＸ軸方向）における凸部３３の最大長さを幅ｗＩａとし、出射面３０ａに直交する方向である光出射方向（図１で示すＺ軸方向）における凸部３３の最大長さ（図３では、基準面３７と先端部３３ａとの距離）を高さｈＩａとしたときの、幅ｗＩａに対する高さｈＩａの比（ｈＩａ／ｗＩａ）である。
【００３７】
入光側端部３５について、図５（ａ）〜（ｃ）を用いて説明する。図５（ａ）〜（ｃ）は、入射面近傍としての入光側端部を説明する説明図である。本実施形態のように、導光板３０の一辺に点状光源２１が配置されるタイプの透過型画像表示装置１では、入光側端部３５を、図５（ａ）に示すように、入射面３０ｃからの距離Ｗ３５が当該入射面３０ｃと直交する方向（光入射方向）における導光板３０（反射面）の長さＷ３０の１％以上５％以下の領域とすることができる。例えば、４０インチ（長辺Ｗ３０が８８４ｍｍ、短辺Ｈ３０が４９８ｍｍ）用の導光板３０であれば、入光側端部３５を、入射面３０ｃからの距離Ｗ３５が８．８ｍｍ以上４４．２ｍｍ以下の範囲の領域とすることができる。
【００３８】
ここでは、導光板３０の一辺に点状光源２１が配置されるタイプの透過型画像表示装置１についての入光側端部３５について説明した。他の実施形態として、図５（ｂ）に示すような、導光板３０の互いに対向する二辺に点状光源２１が配置されるタイプの透過型画像表示装置１もある。この場合では、入光側端部３５を、入射面３０ｃからの距離Ｗ３５が当該入射面３０ｃに直交する方向における導光板３０の長さＷ３０の１％以上５％以下の領域と、入射面３０ｄからの距離Ｗ３５が当該入射面３０ｄに直交する方向における導光板３０の長さＷ３０の１％以上５％以下の領域との二つの領域とすることができる。
【００３９】
また、他の実施形態として、図５（ｃ）に示すような、長辺の一辺を形成する側面３０ｅに対向する位置に点状光源２１が配置されるタイプの透過型画像表示装置１もある。この場合では、入光側端部３５を、入射面３０ｅからの距離Ｈ３５が当該入射面３０ｅに直交する方向における導光板３０の長さＨ３０の１％以上５％以下の領域とすることができる。さらに、他の実施形態として、導光板３０において互いに対向する長辺の二辺を形成する側面３０ｅ，３０ｆに対向する位置に点状光源２１が配置されるタイプの透過型画像表示装置１もある。この場合でも、上記説明と同様の考え方の入光側端部３５とすることができる。
【００４０】
入射面近傍において、互いに隣接する凸部３３の幅方向における中心部同士の距離（以下、「凸部ピッチ）とも称す）ＰＩ（図１参照）が、好ましくは１００μｍ以上１０００μｍ以下であり、更に好ましくは２００μｍ以上６００μｍ以下となるように凸部３３が配置されている。凸部ピッチＰＩの上限値は、出射面３０ａ側から見たときの、一方向に延在する凸部３３の形状による筋の視認性の観点から設定される。凸部ピッチＰＩを１０００μｍ以下とすることにより、出射面３０ａ側から見たときの凸部３３の形状筋を視認されにくいものとすることができる。また、凸部ピッチＰＩを６００μｍ以下とすることにより、更に視認されにくいものとすることができる。一方、凸部ピッチＰＩの下限値は、凸部を成形するための転写型における凹型の製造困難性から設定される。凸部ピッチＰＩを１００μｍ以上とすることにより、転写型における凹型を形成し易くなる。また、凸部ピッチＰＩを２００μｍ以上とすることにより、転写型における凹型を更に形成し易くなる。
【００４１】
導光板３０を構成する拡散層３２には、透光性材料（又は透明材料）に拡散剤が添加される。拡散剤として、導光板３０を主に構成する上述したような透光性材料（又は透明材料）とは屈折率が異なる粉末が用いることができ、これを透光性材料中に分散させて用いられる。かかる拡散剤としては、例えばスチレン樹脂粒子、メタクリル樹脂粒子、シリコーン樹脂粒子などの有機粒子、炭酸カリウム粒子、シリカ粒子、酸化チタン粒子、炭酸カルシウム粒子などの無機粒子が用いられ、その粒子径は通常０．８μｍ〜５０μｍである。また、拡散剤の添加量としては、通常０．０１〜２０ｗｔ％、好ましくは、０．１〜１０ｗｔ％である。なお、導光板３０を主に構成する上述したような透光性材料（又は透明材料）と屈折率が同じ粉末を用いることも可能である。
【００４２】
透過型画像表示部１０と面光源装置２０との間には、各種光学部材４０が配置されている構成であってもよい。光学部材４０の例には、拡散フィルム、プリズムフィルム、マイクロレンズフィルムなどが含まれる。これらの光学部材は、一つであってもよいし、複数であってもよい。
【００４３】
次に、上記導光板３０の作用効果について説明する。上記構成の導光板３０では、入射面３０ｃから入射した光は、導光板３０内を全反射しながら伝搬する。導光板３０内を伝搬する光が背面３０ｂに設けられた凸部３３に入射すると、凸部３３により全反射条件と異なる条件で反射する。よって、凸部３３で反射した光は出射面３０ａから出射される。入光側端部３５に設けられる凸部３３は、アスペクト比が０．０５以下となるような外形形状に形成されているので、入光側端部３５において発生する、いわゆるホットスポット現象の発生を低減させることができる。
【００４４】
（第２実施形態）
本発明の他の実施形態について、主に図６及び図７を参照して説明する。図６は、凸部が形成された背面を示す平面図である。図７は、凸部の外形形状の一例を説明するための図面であり、凸部を含む導光板の断面構成の模式図である。第２実施形態の透過型画像表示装置が、上記第１実施形態の透過型画像表示装置１と異なる点は、点状光源２１が、図６に示すように、導光板３０において互いに対向する側面３０ｃ，３０ｄにそれぞれ対向して配置される点と、導光板３０の背面３０ｂとなる面に設けられる凸部１３３が、一方向に延在すると共に延在方向に直交する方向に並列配置されるのではなく、ドット状に複数配置される点とである。その他の部分は上記第１実施形態と同一である。ここでは、主に、第１実施形態と異なる点状光源２１，２１の配置と、凸部１３３の形状について詳細に説明する。また、説明の簡略化のため、複数の凸部１３３の大きさは同じであるとして説明する。
【００４５】
点状光源２１，２１は、図６に示すように、導光板３０において互いに対向する側面（入射面）３０ｃ，３０ｄにそれぞれ対向して配置されており、Ｙ軸方向に沿ってライン状に複数配列されている。点状光源２１の例は、発光ダイオードである。点状光源２１は、導光板３０に光を効率的に入射するために、導光板３０とは反対側に、光を反射させるリフレクターなどを備えていてもよい。
【００４６】
凸部１３３は、図６及び図７に示すように、背面３０ｂにドット状に複数形成されている。凸部１３３は透明であり、導光板３０内を伝搬する光を乱反射させて、出射面３０ａ側から出射させるためのものである。凸部１３３の外形形状は、マイクロレンズとしての光学的性能を発揮する形状となっている。なお、凸部１３３の外形形状については、後段にて詳述する。
【００４７】
凸部１３３は、図６に示すように、導光板３０の短辺方向（Ｙ軸方向）及び長辺方向（Ｘ軸方向）に格子状に配列されている。凸部１３３は、Ｘ軸方向に沿って配置密度が異なっており、Ｘ軸方向中心ほど配置密度が高い。
【００４８】
次に、凸部１３３の外形形状について説明する。凸部１３３において、凸部１３３の頂部を凸部１３３の先端部１３３ａと称し、凸部１３３の裾部を凸部１３３の底部１３３ｂと称する。ここでは、説明の便宜のために、基準面１３７を定義する。すなわち、基準面１３７を、図７に示すように凸部１３３の断面において、底部１３３ｂ同士を結ぶ線と平行な面、言い換えれば、凸部１３３の底面を形成する平面と定義する。本実施形態では、導光板３０における出射面３０ａ（図１参照）と基準面１３７とは互いに平行となっている。本実施形態では、凸部１３３の形状は、図７に示した断面形状を、中心軸線ＣＩＩを回転軸として回転させた形状であるとする。よって、凸部１３３の外形形状は、中心軸線ＣＩＩを含む任意の断面において左右対称となる。また、凸部１３３は、凸部１３３に接する接平面ＰＬＩＩと基準面１３７とのなす角度γＩＩが、凸部１３３の底部１３３ｂ側から先端部１３３ａ側にかけて単調に減少するような外形形状を有している。
【００４９】
例えば、凸部１３３の外形形状は、アスペクト比〔ｈＩＩａ／ｗＩＩａ〕、幅に対する曲率半径〔ｒＩＩ／ｗＩＩａ〕、及び底部角度γＩＩの組み合わせによって規定される形状とすることができる。以下、図７を参照して、アスペクト比〔ｈＩＩａ／ｗＩＩａ〕、幅に対する曲率半径〔ｒＩＩ／ｗＩＩａ〕、及び底部角度γＩＩについて説明する。
【００５０】
(I)アスペクト比〔ｈＩＩａ／ｗＩＩａ〕
アスペクト比とは、入射面３０ｃ（図６参照）に直交する方向である光入射方向（図６で示すＸ軸方向）における凸部１３３の最大長さを幅ｗＩＩａとし、出射面３０ａ（図６参照）に直交する方向である光出射方向（図６で示すＺ軸方向）における凸部１３３の最大長さ（図７では、基準面１３７と先端部１３３ａとの距離）を高さｈＩＩａとしたときの、幅ｗＩＩａに対する高さｈＩＩａの比（ｈＩＩａ／ｗＩＩａ）である。
【００５１】
(II)幅に対する曲率半径〔ｒＩＩ／ｗＩＩａ〕
幅に対する曲率半径〔ｒＩＩ／ｗＩＩａ〕とは、凸部１３３の幅をｗＩＩａ（μｍ）、凸部１３３の先端部１３３ａの曲率半径をｒＩＩ（μｍ）としたとき、幅ｗＩＩａに対する曲率半径ｒＩＩの比である。先端部１３３ａの曲率半径ｒＩＩは、凸部１３３の頂部としての先端部１３３ａの曲がり具合を表すものである。例えば、先端部１３３ａの曲率半径ｒＩＩは、図７に示すように、先端部１３３ａに接する円（図７中の破線で示す円）を仮定した場合の円の半径である。
【００５２】
(III)底部角度γＩＩ
底部角度γＩＩは、中心軸線ＣＩＩをとおる断面での凸部１３３の輪郭線と基準面１３７との交点の位置での凸部１３３の接平面ＰＬＩＩと基準面１３７との間のなす角度である。また、先端部１３３ａに対して底部は凸部１３３の裾部でもある。よって、底部角度γＩＩは裾部角度でもある。
【００５３】
図７を用いて断面形状の例を示した凸部１３３について、入射面近傍としての入光側端部３５に設けられる凸部１３３のアスペクト比が、０．０１以上０．０５以下となるように形成されている。なお、入光側端部３５については、前述したとおりである。また、凸部１３３の幅ｗＩＩａ、言い換えれば、凸部１３３の大きさは、通常１０μｍ〜４００μｍである。
【００５４】
図６に示すように、入射面近傍において、互いに隣接する凸部１３３の光入射方向（Ｘ軸方向）における中心部同士の距離（以下、「凸部ピッチ）とも称す）ＰＩＩは、好ましくは１００μｍ以上１０００μｍ以下であり、更に好ましくは、２００μｍ以上６００μｍ以下となるように凸部３３が配置されている。ここで、凸部ピッチＰＩＩを比較的大きく設定すると、出射面３０ａにおいてドット状の凸部が連なった筋状（図７で示すとＹ軸方向に延びる）のものが見えるおそれがある。凸部ピッチＰＩＩの上限値は、出射面３０ａ側から見たときに視認されるおそれのある一方向に延びる筋の観点から設定される。凸部ピッチＰＩＩを１０００μｍ以下とすることにより、出射面３０ａに出現する上記の筋を視認されにくいものとすることができる。また、凸部ピッチＰＩＩを６００μｍ以下とすることにより、上記の筋を更に視認されにくいものとすることができる。一方、凸部ピッチＰＩＩの下限値は、成形の難易度及び正確性の観点から設定される。凸部ピッチＰＩＩを１００μｍ以上とすることにより、容易にかつ正確に成形することができる。また、凸部ピッチＰＩＩを２００μｍ以上とすることにより、更に容易にかつ正確に成形することができる。
【００５５】
次に、上記形状の凸部１３３を有する導光板３０の作用効果について説明する。上記構成の導光板３０では、入射面３０ｃから入射した光は、導光板３０内を全反射しながら伝搬する。導光板３０内を伝搬する光が背面３０ｂに設けられた凸部１３３に入射すると、凸部１３３により全反射条件と異なる条件で反射する。よって、凸部１３３で反射した光は出射面３０ａから出射される。入光側端部３５に設けられる凸部１３３は、アスペクト比が０．０５以下となるような外形形状に形成されているので、入光側端部３５において発生する、いわゆるホットスポット現象の発生を低減させることができる。
【００５６】
次に、本実施形態の導光板３０において、入光側端部３５に設けられる凸部３３のアスペクト比を０．０５以下にすることにより、ホットスポット現象の発生を低減させることができる点について、シミュレーション１及び２を用いて説明する。
【００５７】
（シミュレーション１）
本願発明者らは、鋭意検討を重ねた結果、入光側端部に配置される凸部のアスペクト比を小さくして、当該凸部による光の取り出し量を抑制することが、入光側端部において発生するホットスポットを低減するのに効果的であることを見出した。そして、以下に示すシミュレーションを実施することにより、その値を０．０５以下とすることが特に効果的であることを見出した。
【００５８】
本シミュレーション（以下、「シミュレーション１」と称す）は、被覆率１００％、光入射方向への長さ（幅）が０．５ｍｍ、下記の式（２）で表される円錐曲線によって規定される輪郭線を有する外形形状の凸部を有する導光板について、凸部の尖り度ｋａ及びアスペクト比を変えたときの光出射効率Ｅについて、光線追跡法を用いて算出した。光出射効率Ｅとは、導光板に入射する光の量Ｅｉに対する出射面から出射される光の量Ｅｏの比（Ｅｏ／Ｅｉ）をいう。
【数２】
2013197085.tif 000004
【００５９】
シミュレーション１の条件は、次のとおりとした。
・導光板の構成材料：凸部を含めＰＭＭＡ（屈折率：１．４９）を仮定
・導光板の平面視形状（板厚方向からみた形状）：長方形
・導光板の長辺の長さ：５４０ｍｍ
・導光板の短辺の長さ：２０ｍｍ
・導光板の厚さｔ    ：４ｍｍ
・導光板の凸部の先端部と反射部との間の距離：０．１ｍｍ
・反射部：ソニー株式会社製「ＫＤＬ４０ＥＸ７」に使用されているバックライトユニットから取り出した白色反射板と同等の反射特性を仮定
・点状光源から出射される光の波長：５５０ｎｍを仮定
・点状光源と導光板との距離：０．０５ｍｍ
【００６０】
なお、導光板において入射方向と直交する方向の２つの側面では周期的境界条件を仮定した。すなわち、この２つの側面では光はすべて反射し導光板内に戻るとした。このように、導光板における短辺方向（Ｙ軸方向）に周期的境界条件を設けることによって、短辺方向の長さが実質的に無限の導光板を想定したシミュレーションを実施していることになる。
【００６１】
このような条件の下、評価の対象となる導光板に入射する光の量Ｅｉに対する出射面からの全ての出射光の量Ｅｏの比を算出することで光出射効率Ｅ（＝Ｅｏ／Ｅｉ）を得た。図８は、凸部のアスペクト比と尖り度と光取り出し効率との関係を示したグラフである。そして、図８に示すように、導光板に形成される凸部のアスペクト比が０．３〜０．０５の範囲では、アスペクト比が変化しても導光板における光出射効率Ｅにはあまり変化がなく、ほぼ一定であることが確認できた。一方、導光板に形成される凸部のアスペクト比が０．０５よりも小さくなると、導光板における光出射効率Ｅが急激に低下することが確認できた。また、導光板に形成される凸部のアスペクト比が０．０５より小さい場合には、凸部の尖り度ｋａの値にかかわらず、導光板の光出射効率Ｅが急激に低下することが確認できた。この結果、凸部のアスペクト比を０．０５以下にすることにより凸部による光の取り出し効率を効率的に抑制できることが分かった。
【００６２】
（シミュレーション２）
次に、本実施形態の導光板３０において、入光側端部３５に設けられる凸部３３のアスペクト比を０．０５以下とすることにより、すなわち、凸部による光の取り出し効率を抑制することにより、ホットスポット現象の発生を低減させることができる点について、以下に示すシミュレーション（以下、「シミュレーション２」と称す）の結果を用いて説明する。ただし、本発明の導光板は、このシミュレーション２に限定されるものではない。
【００６３】
図９は、シミュレーションモデルを示す模式図である。説明の便宜のため、図１及び図２に示した構成要素に対応する構成要素には、導光板３０ＭのようにＭを付して記載する。シミュレーション２は、入光側端部に形成される凸部３３Ｍの外形形状（アスペクト比）及び凸部の被覆率がそれぞれ異なる導光板を設定し、図９に示すように、これらの導光板の入射面３０Ｍｃに対向する位置に光源部としての点状光源２１Ｍ，２１Ｍを配置すると共に、これらの導光板の下方に白色反射板２５Ｍを配置したモデルにおいて、光線追跡法を用いて出射輝度（Ｗ／ｓｒ・ｍｍ２）を算出した。
【００６４】
具体的には、下記に示すシミュレーションモデルの導光板３０Ｍとして、入光側端部３５Ｍに形成される外形形状（アスペクト比）が互いに異なる４パターンの導光板をそれぞれ設定し、更に、これらの導光板のそれぞれについて、入光側端部３５Ｍにおける凸部３３Ｍの被覆率が互いに異なる５パターンの導光板Ａ１〜Ａ５，Ｂ１〜Ｂ５、Ｃ１〜Ｃ５、Ｄ１〜Ｄ５（合計２０パターン）をそれぞれ設定し、入射面３０Ｍｃから１０ｍｍの位置（図９における矢印Ｓの位置）のＹ軸方向（図９参照）における輝度均斉度をそれぞれ算出した。
【００６５】
上述した２０パターンの導光板（以下、「導光板３０Ｍ」とも称す）において共通する条件は以下のとおりである。
・導光板３０Ｍの構成材料：基層３１Ｍ、拡散層３２Ｍ及び凸部３３Ｍは、いずれもＰＭＭＡ（屈折率：１．４９）を仮定
・導光板３０Ｍの平面視形状（板厚方向からみた形状）：長方形
・導光板３０Ｍの長辺の長さＷ１：２００ｍｍ
・導光板３０Ｍの短辺の長さＷ２：  ２６．７ｍｍ
・導光板３０Ｍの厚さｔ３０：４ｍｍ
・拡散層３２Ｍの厚さｔ３２：１３０μｍ
・拡散層３２Ｍの拡散濃度：凸部３３Ｍの形状及び凸部３３Ｍの被覆率に応じて、範囲内の出射光量が一定となるように設定
・入光側端部３５ＭのＸ軸方向長さＷ３５Ｍ：１０ｍｍ
（入射面３０Ｍｃに直交する方向における導光板３０Ｍの長さＷ１の５％）
・導光板３０Ｍの凸部３３Ｍの先端部３３Ｍａと白色反射板２５Ｍとの間の距離：０．１ｍｍ
・白色反射板２５Ｍ：ソニー株式会社製「ＫＤＬ４０ＥＸ７」に使用されているバックライトユニットから取り出した白色反射板と同等の反射特性を仮定
【００６６】
点状光源２１Ｍについて説明する。点状光源２１Ｍ，２１Ｍは、導光板３０Ｍの短辺方向に２つ配置されており、それぞれの端部からの距離Ｌ１が６．７ｍｍであり、互いの光源間隔Ｌ２（点状光源中心部同士の距離）が１３．３ｍｍである。点状光源２１Ｍは、横方向（Ｙ軸方向）の長さが７．３ｍｍ、縦方向（Ｚ軸方向）の長さが２．７ｍｍの大きさの面光源である。
【００６７】
図１０は、点状光源２１Ｍの指向特性（配光特性）の一例を示す図面である。図１０の横軸は出射角度θ２１（°）を示しており、縦軸は、最大の出射光強度で規格化した規格化放射強度を示している。本実施形態において、θ２１＝０は、図１０におけるＸ軸方向に対応する。点状光源２１Ｍは、いわゆるランバーシアン（Lambertian）型の光源を仮定し、点状光源２１Ｍの例としては、発光ダイオードが挙げられる。ランバーシアン型の光源は、出射光強度が最大である最大出射光強度の出射角度が０°付近（正面方向）にあり、正面方向からの傾き（出射角度）が大きくなるにしたがって略単調減少していくという特徴を有している。図１０中のＰＤは、理論的な完全拡散の場合の指向特性を示しており、本シミュレーション２においてはこの特性が得られる点状光源２１Ｍを仮定した。点状光源２１Ｍに関連するその他の条件は以下のとおりである。
【００６８】
・点状光源２１Ｍから出射される光の波長：５５０ｎｍを仮定
・点状光源２１Ｍからの入射光線数は、１，０００，０００，０００本（＝５００，０００，０００本×２）、入射光量は２Ｗ（＝１Ｗ×２）
・点状光源２１Ｍと導光板３０Ｍとの距離：０．０５ｍｍ
【００６９】
なお、導光板３０Ｍの側面３０Ｍｅ及び側面３０Ｍｆでは周期的境界条件を仮定した。すなわち、側面３０Ｍｅ及び側面３０Ｍｆでは、光はすべて反射し導光板３０Ｍ内に戻るとした。このように、導光板３０Ｍにおける短辺方向（Ｙ軸方向）に周期的境界条件を設けることによって、短辺方向の長さが実質的に無限の導光板を想定したシミュレーションを実施していることになる。また、導光板３０Ｍの側面３０Ｍｄにおける反射特性の影響を受けないようにするため、側面３０Ｍｄを吸収面とする条件を仮定した。
【００７０】
次に、導光板３０Ｍにおいて互いに異なる凸部３３Ｍの外形形状について説明する。このシミュレーション２では、延在方向に直交する凸部３３Ｍの断面構成における輪郭線が以下に示す円錐曲線で表すことができる外形形状の凸部３３Ｍを設定した。すなわち、図４に示すように、ｕＩｖＩ座標系を設定し、凸部３３Ｍの断面形状を下記式（３）で示す円錐曲線ｖＩ（ｕＩ）により規定した。ｕＩｖＩ座標系のｖＩ軸は、図９に示すＺ軸方向に対応し、ｕＩ軸は、図９に示すＸ軸方向に対応する。
【数３】
2013197085.tif 000005
【００７１】
式（３）において、尖り度ｋＩａは、上述したとおり、円錐曲線の尖り方を示すパラメータであり、ここでは詳細の説明は省略する。本シミュレーション２の導光板３０Ｍでは、尖り度ｋＩａを−０．７と設定した。上述した２０パターンの導光板３０Ｍにおいて互いに異なる条件、すなわち、入光側端部３５Ｍに形成される凸部３３Ｍのアスペクト比及び被覆率を下記の表１〜表４に示す。表１は、入光側端部３５Ｍに形成される凸部３３Ｍのアスペクト比が０．０２であり、入光側端部３５Ｍに形成される凸部３３Ｍの被覆率が互いに異なる導光板Ａ１〜Ａ５を示している。表２は、入光側端部３５に形成される凸部３３Ｍのアスペクト比が０．０４であり、入光側端部３５Ｍに形成される凸部３３Ｍの被覆率が互いに異なる導光板Ｂ１〜Ｂ５を示している。表３は、入光側端部３５Ｍに形成される凸部３３Ｍのアスペクト比が０．０５であり、入光側端部３５Ｍに形成される凸部３３Ｍの被覆率が互いに異なる導光板Ｃ１〜Ｃ５を示している。表４は、入光側端部３５Ｍに形成される凸部３３Ｍのアスペクト比が０．０６であり、入光側端部３５Ｍに形成される凸部３３Ｍの被覆率が互いに異なる導光板Ｄ１〜Ｄ５を示している。
【表１】
2013197085.tif 000006
【表２】
2013197085.tif 000007
【表３】
2013197085.tif 000008
【表４】
2013197085.tif 000009
【００７２】
図１１は、表１〜表４に示すように設定された、アスペクト比が０．０２、０．０４、０．０５、０．０６の導光板３０Ｍの形状をそれぞれ示した図である。図１１は、横軸が図９に示すＸ軸方向、縦軸が図９に示すＺ軸方向に対応する。図１１において、実線で示された形状が、導光板Ａ１〜Ａ５に形成されるアスペクト比が０．０２の凸部３３Ｍの形状であり、破線で示された形状が、導光板Ｂ１〜Ｂ５に形成されるアスペクト比が０．０４の凸部３３Ｍの形状であり、一点鎖線で示された形状が、導光板Ｃ１〜Ｃ５に形成されるアスペクト比が０．０５の凸部３３Ｍの形状であり、二点鎖線で示された形状が、導光板Ｄ１〜Ｄ５に形成されるアスペクト比が０．０６の凸部３３Ｍの形状である。
【００７３】
輝度均斉度は、入射面３０Ｍｃから１０ｍｍの位置のＹ軸方向（図９参照）における出射輝度の変化において、例えば、出射輝度の最小値を最大値で除した値とすることができる。このように算出した輝度均斉度について、入光側端部３５Ｍにおける凸部３３Ｍのアスペクト比及び被覆率との関係を図１２に示す。図１２において、実線は、入光側端部３５Ｍに形成される凸部３３Ｍのアスペクト比が０．０２の場合を示し、破線は、入光側端部３５Ｍに形成される凸部３３Ｍのアスペクト比が０．０４の場合を示し、一点鎖線は、入光側端部３５Ｍに形成される凸部３３Ｍのアスペクト比が０．０５の場合を示し、二点鎖線は、入光側端部３５Ｍに形成される凸部３３Ｍのアスペクト比が０．０６の場合を示している。
【００７４】
図１２によれば、入光側端部３５Ｍにおける凸部３３Ｍのアスペクト比が小さくなるほど、入光側端部３５Ｍにおける輝度均斉度が高くなることが確認できる。特に、入光側端部３５Ｍにおける凸部３３Ｍのアスペクト比が０．０５よりも大きな０．０６となると、極端に輝度均斉度の値が低くなることが確認できた。これにより、入光側端部３５Ｍにおける凸部３３Ｍのアスペクト比の値を０．０５以下に形成することにより、輝度均斉度が６０％以上と良好な結果を得ることができ、ホットスポット現象発生の低減を図れることが確認できた。
【００７５】
また、図１２によれば、凸部３３Ｍの被覆率が３０％よりも大きく、アスペクト比が０．０５よりも大きい場合に、輝度均斉度が低くなり、ホットスポットが顕著に発生することが分かった。これにより、入光側端部３５Ｍに形成される凸部３３Ｍの被覆率が比較的高い場合であっても、凸部３３Ｍのアスペクト比を小さくすることにより輝度均斉度を高められることが確認できた。
【００７６】
以上、シミュレーション１及び２により、凸部のアスペクト比を０．０５以下にすることにより凸部３３Ｍによる光の取り出し効率を効率的に抑制され、良好な輝度均斉度を得ることができたので、ホットスポット現象発生の低減を図れることが確認できた。
【００７７】
以上、本発明の実施形態について説明したが、本発明は上記実施形態に限定されるものではなく、発明の趣旨を逸脱しない範囲で種々の変更が可能である。
【００７８】
また、上記第１実施形態の透過型画像表示装置１及び面光源装置２０では、光源部としての点状光源２１を導光板３０の短辺となる側面の一つの面（入射面３０ｃ）に対向する位置に配置した例を挙げて説明したが、本発明はこれに限定されるものではない。例えば、長辺となる側面の一つの面（入射面３０ｅ）に対向する位置に配置してもよい。また、例えば、長辺となる側面の二つの面（側面３０ｅ，３０ｆ）に対向する位置にそれぞれ配置してもよい。このように、点状光源２１が配置された場合の反射面における入光側端部３５（凸部のアスペクト比を０．０５以下とする領域）は、上述したとおりである。
【００７９】
同様のことは、上記第２実施形態の透過型画像表示装置１及び面光源装置２０でも言え、例えば、ドット状の凸部１３３が形成された導光板３０において、光源部としての点状光源２１を導光板３０の短辺となる側面の一つの面（入射面３０ｃ）に対向する位置に配置してもよい。この場合の凸部１３３の配置方法は上述したとおりである。
【００８０】
上記実施形態の導光板３０では、光入射方向における凸部３３，１３３の被覆率を変えることにより、光入射方向における輝度均斉度を最適にする例を挙げて説明したが、本発明はこれに限定されるものではない。例えば、光入射方向において凸部の形状を変えることにより、光入射方向における輝度均斉度を最適にしてもよい。
【００８１】
上記凸部３３を背面３０ｂに有する導光板３０は、例えば透光性材料（又は透明材料）からなる板材を削り出す方法により製造することができる。また、透光性材料として透明樹脂材料を用いる場合は、例えば射出成形法、押出成形法、フォトポリマー法、プレス成形法などの通常の方法により製造することもできる。
【００８２】
また、上記実施形態では、凸部３３を含めて一体的に形成された導光板３０について説明したが、本発明の導光板はこれに限定されるものではない。例えば、フォトポリマー法を用いて、図３（図７）に示す基準面３７（１３７）より下の部分である板状の本体部に対して、基準面３７（１３７）より上の部分である凸部３３（１３３）を形成してもよい。フォトポリマー法を用いて導光板３０を製造する際には、凸部３３（１３３）の材料として、紫外線硬化樹脂を利用することができ、紫外線硬化樹脂としては、アクリル系紫外線硬化樹脂を用いることができる。
【００８３】
導光板３０を構成する透光性材料として透光性樹脂材料を用いる場合、この透光性樹脂材料に紫外線吸収剤、帯電防止剤、酸化防止剤、加工安定剤、難燃剤、滑剤等の添加剤を添加することもできる。これらの添加剤はそれぞれ単独で、又は２種以上を組み合わせて用いることができる。なお、導光板３０に紫外線吸収剤が添加されていれば、点状光源２１から出力される光に紫外線が多く含まれている場合などにおいて、紫外線による導光板３０の劣化を防止できるため好ましい。
【００８４】
紫外線吸収剤としては、例えばベンゾトリアゾール系紫外線吸収剤、ベンゾフェノン系紫外線吸収剤、シアノアクリレート系紫外線吸収剤、マロン酸エステル系紫外線吸収剤、シュウ酸アニリド系紫外線吸収剤、トリアジン系紫外線吸収剤等が挙げられ、好ましくはベンゾトリアゾール系紫外線吸収剤、トリアジン系紫外線吸収剤である。
【００８５】
上記実施形態では、凸部の一例として、一方向に延在すると共に延在方向と直交する方向に配列される凸部（レンチキュラーレンズ）、及びドット状に配置される複数の凸部（マイクロレンズ）の例を挙げて説明したが、本発明はこれに限定されるものではない。凸部は、例えば、プリズム状に形成されていてもよい。
【００８６】
上記実施形態では、ドット状の複数の凸部を配置する場合、入射面と直交する方向におけるドット同士の間隔を変化させる例を挙げて説明したが、入射面の長手方向と平行な方向においても、ドット同士の間隔を変化させてもよい。
【００８７】
上記実施形態の導光板３０は、二層構成であり、一方の層（拡散層３２）を構成する透光性材料に拡散剤を添加することにより導光板３０に拡散機能を持たせた例を挙げて説明したが、本発明はこれに限定されるものではない。例えば、単層構成の場合であっても、導光板を構成する透光性材料に拡散剤を添加することにより拡散機能を持たせてもよい。また、導光板は、拡散層を含む二層以上の多層構成とすることもできる。また、例えば、出射面３０ａにエンボス加工を施すことによって、導光板に拡散機能を持たせる構成であってもよい。
【００８８】
また、図１に示した透過型画像表示装置１において、本発明の趣旨を逸脱しなければ、導光板３０と透過型画像表示部１０との間に、上記実験例１において記載したような他の光学部材を配置したりすることもできる。導光板３０と透過型画像表示部１０との間に設けられる他の光学部材の例には、本発明の趣旨を逸脱しない程度の光拡散特性を有する光拡散シート、マイクロレンズシート、又はプリズムレンズシートなどが含まれる。
【００８９】
上記実施形態では、導光板３０は、図１に示すように、出射面３０ａに対し、側面（入射面）３０ｃ及び側面３０ｄと、側面３０ｅ及び側面３０ｆとが直交する例を挙げて説明したがこれに限定されるものではなく、互いに交差する導光板であってもよい。
【００９０】
第１実施形態における凸部３３の外形形状を円錐曲線の式で示し、第２実施形態における凸部１３３の外形形状を、アスペクト比、幅に対する曲率半径、及び底部角度で示す例を挙げて説明したが、本発明はこれに限定されるものではない。例えば、第１実施形態における凸部３３の外形形状を、アスペクト比、幅に対する曲率半径、及び底部角度の三要素で示してもよい。また、例えば、第２実施形態における凸部１３３の外形形状を、円錐曲線の式で示してもよい。
【符号の説明】
【００９１】
１…透過型画像表示装置、１０…透過型画像表示部、１１…液晶セル、１２，１３…偏光板、２０…面光源装置、２１…点状光源（光源部）、２５…反射板、３０…導光板、３０ａ…出射面、３０ｂ…背面（反射面）、３０ｃ…側面（入射面）、３０ｄ…側面、３０ｅ，３０ｆ…側面、３１…基層、３２…拡散層、３３，１３３…凸部、３３ａ，１３３ａ…先端部、３３ｂ，１３３ｂ…底部、３５…入光側端部（入射面近傍）、３７，１３７…基準面、４０…光学部材。
【図１】
2013197085.tif 000010
【図２】
2013197085.tif 000011
【図３】
2013197085.tif 000012
【図４】
2013197085.tif 000013
【図５】
2013197085.tif 000014
【図６】
2013197085.tif 000015
【図７】
2013197085.tif 000016
【図８】
2013197085.tif 000017
【図９】
2013197085.tif 000018
【図１０】
2013197085.tif 000019
【図１１】
2013197085.tif 000020
【図１２】
2013197085.tif 000021